(57)【要約】【課題】背負ベルトの取り付けが容易で、作業者が背負い易い背負式作業機を提供する。【解決手段】この背負式噴霧機は、作業者の背中に背負われるとともに作業機本体部３を支持する架台１を備えている。架台１には、作業者の両肩にそれぞれ掛けられる一対の背負ベルト４が取り付けられている。架台１の左右側面にそれぞれ、左右側方に膨出する膨出部６１，６２が設けられている。膨出部６１，６２の外面が架台１の側面から膨出する湾曲した斜面とされ、膨出部６１，６２の斜面に背負ベルト４の下側を取り付けるための取付孔１７，１８が設けられている。架台１の下部には、作業機本体部３が設置される台座部１２を備え、膨出部６１，６２が台座部１２より上側に設けられている。【選択図】図１
2011142862.tif 000002
【特許請求の範囲】
【請求項１】
作業者の背中に背負われるとともに作業機本体部（３）が設けられる架台（１）と、
前記架台（１）に取り付けられるとともに、作業者の両肩にそれぞれ掛けられる一対の背負ベルト（４）とを備える背負式作業機であって、
前記架台（１）の左右側面にそれぞれ、左右側方に膨出する膨出部（６１，６２）が設けられ、
前記膨出部（６１，６２）の外面が前記架台（１）の側面から膨出する湾曲した斜面とされ、
前記膨出部（６１，６２）の前記斜面に前記背負ベルト（４）の下側を取り付けるための取付孔（１７，１８）が設けられていることを特徴とする背負式作業機。
【請求項２】
前記膨出部（６１，６２）は、背負う作業者側となる前側が開放されたドーム状に形成され、
前記膨出部（６１，６２）の後側から前側に向うにつれて側方に湾曲して膨出する斜面に取付孔（１７，１８）が形成されていることを特徴とする請求項１に記載の背負式作業機。
【請求項３】
前記架台（１）および前記膨出部（６１，６２）がブロー成形により一体成形され、
前記膨出部（６１，６２）が、ブロー成形時に型によって内部空間が無くなるように潰される潰し部分（１６）に設けられていることを特徴とする請求項１または請求項２に記載の背負式作業機。
【請求項４】
前記作業機本体部（３）が原動機（３１）を備え、前記原動機（３１）を操作する操作手段（８）が、前記架台（１）の前記膨出部（６１，６２）の下側に設けられることにより、前記操作手段（８）の上側が前記膨出部（６１，６２）に覆われていることを特徴とする請求項１から請求項３のいずれか１項に記載の背負式作業機。
【請求項５】
前記架台（１）の下部には、前記作業機本体部（３）が設置される台座部（１２）を備え、
前記膨出部（６１，６２）が前記台座部（１２）より上側に設けられていることを特徴とする請求項１から請求項４のいずれか１項に記載の背負式作業機。
【発明の詳細な説明】
【技術分野】
【０００１】
本発明は、背負式噴霧機等の背負式作業機に関する。
【背景技術】
【０００２】
従来、背負った状態で作業を行う背負式作業機として、農薬散布等に使用される背負式噴霧機が知られている（例えば、特許文献１参照）。
この背負式噴霧機は、例えば、図９および図１０に示すように、作業者に背負われる架台１と、架台１に一体に成形される薬剤タンク２と、架台１に支持されるとともに原動機３１とポンプ３２とを有する作業機本体部３とを備えている。また、図示しないノズルパイプを備えるホースがポンプ３２に接続されており、作業者は、背負式噴霧機を背負った状態で、ノズルパイプを持って、ノズルパイプの先端部のノズルから薬剤を噴霧する作業を行えるようになっている。
【０００３】
また、架台１には、背負式噴霧機を背負うための一対の背負ベルト（背負バンド）４が取り付けられている。背負ベルト４は、架台１の背当部の上端部に設けられた上部取付部９に上端部が取り付けられ、背当部の下端部に設けられた下部取付部１０に下端部が取り付けられている。下部取付部１０は、架台１の底面部分に近い位置に設けられている。
【先行技術文献】
【特許文献】
【０００４】
【特許文献１】特開２００６−１４６４７号公報
【発明の概要】
【発明が解決しようとする課題】
【０００５】
ところで、従来の背負式噴霧機では、下部取付部１０が、架台１の背当部の作業者側となる面の下端に近い位置にあるので、例えば、背負式噴霧機を置いた状態で、背負ベルト４の下端部側を下部取付部１０に取り付けようとした場合に、下部取付部１０のすぐそばに背負式噴霧機が置かれた部分の面（例えば地面）が存在するため、背負式噴霧機が置かれた地面と、背当部の作業者側となる面とに囲まれた部分、特にこれらの面に挟まれた入隅の角部で背負ベルト４の下端部を下部取付部１０の例えば取付金具に取り付けなければならず、これらの面に邪魔されて取り付け作業がし難いという問題がある。
【０００６】
また、架台１の上端部と下端部とに背負ベルト４の上下を接続した場合に、背負ベルト４の上端部から下端部が離れすぎた状態となり、一般的な体型の作業者にフィットしにくいという問題がある。例えば、背負ベルト４を長目にして少し弛めると、架台１の上端部が作業者の背面（肩）から離れ易い状態となり、それを防止するように背負ベルト４を短目にすると、作業者がきついと感じる可能性が高くなってしまう問題がある。
【０００７】
本発明は、前記事情に鑑みて為されたもので、背負ベルトの取り付けが容易で、作業者が背負い易い背負式作業機を提供することを目的とする。
【課題を解決するための手段】
【０００８】
前記目的を達成するために、請求項１に記載の背負式作業機は、作業者の背中に背負われるとともに作業機本体部（３）が設けられる架台（１）と、前記架台（１）に取り付けられるとともに、作業者の両肩にそれぞれ掛けられる一対の背負ベルト（４）とを備える背負式作業機であって、前記架台（１）の左右側面にそれぞれ、左右側方に膨出する膨出部（６１，６２）が設けられ、前記膨出部（６１，６２）の外面が前記架台（１）の側面から膨出する湾曲した斜面とされ、前記膨出部（６１，６２）の前記斜面に前記背負ベルト（４）の下側を取り付けるための取付孔（１７，１８）が設けられていることを特徴とする。
【０００９】
請求項１に記載の発明においては、架台から左右側方に膨出する膨出部に背負ベルトの下側を取り付けるための取付孔が設けられているので、背負ベルトの下側を架台に取り付ける際に、架台の作業者の背中側に向く面から左右に少し離れた位置で背負ベルトの取付作業を行えることになり、背負ベルトの下側を架台に取り付ける作業が容易になる。
また、取付孔に例えば、背負ベルトに設けられた取付フック等を挿入する場合に、湾曲した斜面に取付フックの先端を沿わせて取付孔に挿入することで、容易に取付孔に取付フックを挿入することができる。すなわち、湾曲した斜面に取付孔を形成した場合に、取付孔が無かった場合の仮想の斜面より取付孔の部分が低くなっているので、例えば、平面に沿わせて取付フックを取付孔に挿入する場合に比較して、取付フックが取付孔に係合し易い状態となる。これにより、膨出部の外面に沿って取付フックを取付孔に向けて移動させた場合に、取付孔部分を取付フックが乗り越えてしまうことなく、取付孔に係合させて容易に挿入させることができる。
【００１０】
請求項２に記載の背負式作業機は、請求項１に記載の発明において、前記膨出部（６１，６２）は、背負う作業者側となる前側が開放されたドーム状に形成され、前記膨出部（６１，６２）の後側から前側に向うにつれて側方に湾曲して膨出する斜面に取付孔（１７，１８）が形成されていることを特徴とする。
【００１１】
請求項２に記載の発明においては、背負式作業機において、この背負式作業機を背負う作業者側を前側とし、その反対側を後側とした場合に、膨出部の後側から前側に向うにつれて側方（右または左）に膨出する湾曲した斜面に沿って取付フックを後側から前側に移動させることで、上述のように取付フックを容易に取付孔に取り付けることができる。
また、膨出部の開放端側から膨出部の内側に挿入されて、膨出部の外側から挿入された取付フックの先端部に係合して、取付フックが取付孔から抜けるのを防止する抜け止部材（例えば、カラビナのゲートのような部材）を用いることが可能となる。
【００１２】
請求項３に記載の背負式作業機は、請求項１または請求項２に記載の発明において、前記架台（１）および前記膨出部（６１，６２）がブロー成形により一体成形され、前記膨出部（６１，６２）が、ブロー成形時に型によって内部空間が無くなるように潰される潰し部分（１６）に設けられていることを特徴とする。
【００１３】
請求項３に記載の発明においては、架台がブロー成形されるものであっても、前記膨出部が内部空間が無い潰し部分に形成されるので、膨出部を比較的自由な形状で容易に成形することが可能となる。
特に、背負式作業機を例えば薬剤タンクとポンプとこのポンプを駆動する原動機を有する背負式噴霧機とし、ブロー成形で架台と薬剤タンクとを一体に成形して設ける構成としても、膨出部を容易に架台とタンクと一体に成形することができる。
【００１４】
請求項４に記載の背負式作業機は、請求項１から請求項３のいずれか１項に記載の発明において、前記作業機本体部（３）が原動機（３１）を備え、前記原動機（３１）を操作する操作手段（８）が、前記架台（１）の前記膨出部（６１，６２）の下側に設けられることにより、前記操作手段（８）の上側が前記膨出部（６１，６２）に覆われていることを特徴とする。
【００１５】
請求項４に記載の発明においては、架台に設けられる操作手段の上側を前記膨出部が覆うことにより、前記操作手段を前記膨出部で防滴および保護することができる。また、膨出部が傘として機能し、タンクへの液体投入時等において、操作手段が濡れるのを防止することができる。
また、背負式作業機は、作業者の背中側に配置された状態で作業が行われるので、作業者には、背負式作業機が良く見えず、背負式作業機を他の物に接触させてしまう虞があるが、そのような場合に、膨出部が操作手段より先に他のものに当たることで、操作手段を保護することができる。
【００１６】
請求項５に記載の背負式作業機は、請求項１から請求項４のいずれか１項に記載の発明において、前記架台（１）の下部には、前記作業機本体部（３）が設置される台座部（１２）を備え、前記膨出部（６１，６２）が前記台座部（１２）より上側に設けられていることを特徴とする。
【００１７】
請求項５に記載の発明においては、膨出部が作業機本体部が設置される台座部より高い位置に設けられることになり、背負式作業機を置いた状態で、膨出部の取付孔に背負ベルトの下端側を取り付ける際に、取付孔と背負式作業機が置かれた面とが少なくとも台座部の上下厚みより離れた状態となり、背負式作業機が置かれた面に手が接触するなどして背負ベルトの取付作業の邪魔になることがなく、背負ベルトの取付作業を容易にすることができる。
【００１８】
また、背負式作業機を地面に置いた場合や、背負わずに移動する場合に、背負ベルトの下端側の位置が台座部より高くなることで、背負ベルトが撓んだ状態でも、背負ベルトの撓んだ部分が地面に接触しないようにして、背負ベルトが地面上を引きずられて汚れるようなことを防止することができる。
【００１９】
なお、上記における括弧内の符号は、図面において対応する要素を便宜的に表記したものであり、したがって本発明は図面上の記載に限定されるものではない。これは、「特許請求の範囲」の記載についても同様である。
【発明の効果】
【００２０】
本発明の背負式作業機によれば、背負ベルトの取付作業を容易なものとすることができる。
【図面の簡単な説明】
【００２１】
【図１】本発明の実施の形態に係る背負式噴霧機を示す側面図である。
【図２】前記背負式噴霧機を示す背面図である。
【図３】前記背負式噴霧機の薬剤タンクと一体に成形された架台を示す正面図である。
【図４】前記架台を示す側面図である。
【図５】前記架台の一対の膨出部のうちの一方の膨出部を示す斜視図である。
【図６】前記架台の他方の膨出部を示す斜視図である。
【図７】前記背負式噴霧器の背負ベルトの取付フックを示す側面図である。
【図８】前記取付フックの取付方法を説明するための図である。
【図９】従来の背負式噴霧機を示す側面図である。
【図１０】従来の背負式噴霧機を示す背面図である。
【発明を実施するための形態】
【００２２】
以下、図面を参照しながら、本発明の実施の形態について説明する。
図１から図６に示すように、この例の背負式噴霧機（背負式作業機）は、作業者に背負われる架台１と、この架台１と一体に成形された薬剤タンク２と、架台１に支持されるとともに原動機３１およびポンプ３２を有する作業機本体部３と、図示しないノズルパイプを備えた図示しないホースと、架台１を背負うための背負ベルト４とを備えている。
【００２３】
前記架台１は、作業者に背負われた際に作業者の背中に当てられ、略垂直に配置される背当部１１と、垂直に配置された背当部の下端部から作業者の背中から離れるように略水平に後方に延出する台座部１２と、背当部１１の下端部を除く部分から後方側に向かって膨らんだ状態に設けられる薬剤タンク２とを備えている。
これら背当部１１、台座部１２、薬剤タンク２は、図３および図４に示すように、ブロー成形により一体成形されている。また、背当部１１には、図１に示すようにクッション５が取り付けられている。
【００２４】
また、一体に成形された架台１および薬剤タンク２においては、架台１の底部（下端部）となる台座部１２と、背当部１１および薬剤タンク２との接合部１４、すなわち、背当部１１の台座部１２の直上となる部分には、左右の中央部に前後に連通する貫通孔１５が形成されており、この貫通孔１５によって接合部１４が左右に分割された状態となっている。すなわち、接合部１４は、左右一対となるように設けられている。
これら一対の接合部１４の部分は、薬剤タンク２の内部と台座部１２の内部とを分離するようにブロー成形時に型により潰されて内部空間が無い潰し部１６となっている。
図３に示すように、潰し部１６では、背当部１１側（作業者の背中を向く側）が凹部となるように型により潰されている。
【００２５】
したがって、薬剤タンク２は、背当部１１の後方側で接合部１４より上の部分となっている。薬剤タンク２の上端部には、大きな径の開口を有する円筒状の開口筒部２１が形成され、図１，２に示すように、この開口筒部２１に蓋２２が取り付けられるようになっている。
台座部１２の上側には、原動機３１としての内燃エンジンと、この原動機３１で駆動されるポンプ３２とが作業機本体部３として固定されている。なお、原動機３１が台座部１２に固定され、原動機３１にポンプ３２が固定されている。
【００２６】
図３に示すように、架台１の背当部１１の上部で、前記薬剤タンク２の開口筒部２１より少し下側の作業者側となる面には、左右一対のホルダ部７が設けられている。図４に示すように、これらのホルダ部７の上部には、それぞれ、図示しないノズルパイプを保持するように左右に延在する溝部７１が形成されている。なお、ノズルパイプは、先端にノズルが設けられたパイプで、薬剤噴霧の際に作業者が持って作業する部分である。
この一対のホルダ部７にそれぞれ背負ベルト４の上端部に設けられた取付フック４１を係止するための棒を取り付ける取付孔７２が設けられている。
【００２７】
背負ベルト４には、上下端部に取付フック４１が取り付けられている。また、背負ベルト４には、作業者の肩に当てられる肩用パッド４２と、背負ベルト４の長さを調節する長さ調節部４３が設けられている。
架台１の潰し部１６の左右側面（貫通孔１５側の内側面ではなく、外側面）、すなわち、背当部１１と台座部１２との接合部１４の左右側面には、それぞれ側方に膨出する膨出部６１および膨出部６２が形成されている。
【００２８】
背負式噴霧機を背負う作業者の右側に対応する右側の膨出部６１は、図５等に示すように、水平方向に長い楕円をその略中央部で短径に沿って（上下方向に沿って）切断した概略形状を有するとともに、楕円の半分となる部分がドーム状に湾曲した状態で周縁部より中央側が側方に膨出するように形成されている。また、楕円形状をなす側が後側で、切断された形状をなす側が前側（作業者側）となっている
また、膨出部６１は、前側、すなわち、背負式噴霧機を背負った作業者の背中に向く側が開放された状態となっている。また、膨出部６１は、内部が中空であり、この中空の内部が前方側で開放されて容器状となっている。
【００２９】
この膨出部６１は、後側、上側または下側に向かうほど、接合部１４の側面に近づく湾曲した斜面となっており、この膨出部６１の上部で、かつ、開放端部側（切断された形状となる側）の近傍に背負ベルト４の取付フック４１を掛ける取付孔１７が形成されている。すなわち、背負式噴霧機を背負った作業者に対して後方側に向かうにつれて架台１の側面に近づく斜面で、かつ、上側に向うにつれて架台１の側面に近づく斜面に、背負ベルト４の下端部の取付フックが係止される取付孔１７が形成されている。なお、取付フック４１の取付を容易とするために、半楕円形の膨出部６１の上下方向に沿った側縁部の上部側が、斜めに面取りされた形状となっており、取付孔１７が開放端に近づくようされている。
【００３０】
取付フック４１は、図７に示すように、概略Ｌ字状のフック４２と、このフック４２の基端部側に基端部が固定され、フック４２の先端部に先端部が係止される板ばね４４とを備えている。取付フック４１においては、フック４２を取付孔１７に挿入すると、板ばね４４の先端側がフック４２の基端側に向って弾性変形し、膨出部６１の開放側端部を超えて、膨出部６１の内側に入り込み、取付孔１７から内部に挿入されたフック４２の先端部に再び係止される構造となっている。
取付フック４１は、カラビナと略同様の構造となっており、前記板ばね４４がカラビナのゲートとして機能する。
なお、背負ベルト４の取付フック４１の形状は、取付孔１７，１８に取付可能ならばどのようなものでもよい。
【００３１】
背負式噴霧機を背負う作業者の左側に対応する左側の膨出部６２は、図６等に示すように、水平方向に長い楕円をその左右の略中央部で略短径に沿って（上下方向に沿って）切断し、さらに長径に沿った水平な線分で切断した状態の形状を有する。すなわち、楕円の上側半分のさらに右側半分から、楕円の４分の１となる概略形状を有する。また、楕円の４分の１となる部分がドーム状に湾曲した状態で周縁部より中央側が側方に膨出するように形成されている。
【００３２】
また、膨出部６２は、楕円を短径に沿って切断した形状の部分が、前側を向き、この切断した形状の部分が開放された状態となっている。また、膨出部６２は、内部が中空であり、この中空の内部が前方側に開放された状態となっている。
また、膨出部６２の上下に切断した部分は、開放された状態とはなっておらず、水平な板状の壁部６３で閉塞された状態となっている。
この膨出部６２の外面は、後ろ側および上側に向かうほど、接合部１４の側面に近づく湾曲した斜面となっており、この膨出部６２に背負ベルト４の前記取付フック４１を掛ける取付孔１８が形成されている。すなわち、背負式噴霧機を背負った作業者に対して後方側に向かうにつれて架台１の側面に近づく斜面で、かつ、上側に向うにつれて架台１の側面に近づく斜面に、背負ベルト４の下端部の取付フックが係止される取付孔１８が形成されている。また、取付孔１８は、膨出部６２の開放側端部の近傍となっている。
【００３３】
また、架台１の左側の側面の膨出部６２の下側には、原動機３１に接続されているスロットルレバー（操作手段）８が取り付けられており、膨出部６２がスロットルレバー８よりも側方に膨出することで、スロットルレバー８の上側を覆った状態となっている。したがって、左側の膨出部６２は、スロットルレバー８を保護するようになっており、例えば、薬剤タンク２への液体投入時に、スロットルレバー８が濡れるのを防止することができる。また、作業中に背負った状態の背負式噴霧機のスロットルレバー８側の側面を壁等にぶつけても、スロットルレバー８が壁に当たるのを防止することができる。
【００３４】
左右の膨出部６１，６２の位置は、台座部１２の原動機３１が配置される上面よりも高い位置となっている。また、膨出部６１，６２にそれぞれ設けられた取付孔１７，１８の位置は、上述のスロットルレバー８の位置より高くなっている。なお、スロットルレバー８の回転中心となる基端部の位置は、台座部１２の上面よりも高い位置となっている。
基本的に取付孔１７，１８と台座部１２の底面との間の距離は、一般的な人の手の幅より広くなっている。
また、作業者に背負われていない状態の撓んだ背負ベルト４の下部（下側に撓んだ部分）が台座部１２の底面に至らないように、前記下部が台座部１２（架台１）の底面より上となっている。
【００３５】
この背負式噴霧機にあっては、架台１から左右側方に膨出した膨出部６１，６２に取付孔１７，１８が形成されているので、背負ベルト４の取り付けに際して、架台１の背当部１１の作業者に接する面が邪魔にならない。さらに、膨出部６１，６２が台座部１２よりも上に設けられているので、背負式噴霧機を地面等においた状態で、背負ベルト４の取付フック４１を取付孔１７，１８に係止する際に、背負式噴霧機を置いた面（地面）が邪魔になることがない。
【００３６】
すなわち、従来のように背当部１１の面と背負式噴霧機が置かれた面との入角となる角部で取付作業をした場合のように、取付作業を行う手が背当部１１の面や背負式噴霧機が置かれた面に当たって、作業がしづらくなるようなことがなく、容易に背負ベルト４の下端側を架台１に取り付けることができる。
また、背負式噴霧機を地面に置いた場合に、背負ベルト４が地面に触らないので、背負ベルト４が汚れるのを防止することができる。また、背負式噴霧機を背負わずに移動するような場合に、背負式噴霧機が低い位置にあっても、背負ベルト４が地面に接触せず、背負ベルト４を引きずって汚すようなことがない。
【００３７】
また、上述のように取付孔１７，１８の位置が高くなることで、架台１の上部側の取付孔７２との距離が短くなり、背負ベルト４を作業者にフィットし易いものとすることができる。すなわち、背負ベルト４が上下に長いと、背負ベルト４が緩い状態で、架台１の上部が後側に倒れ易い状態となり、これを防止するために背負ベルト４の長さを短く調節して、架台１の上部が後側に倒れるのを防止すると、作業者には背負ベルト４がきつい状態となってしまう。それに対して背負ベルト４の上下長さが短くなることで、背負ベルト４が少し緩んでも架台１の上部が後側に倒れにくくなり、上述のような問題が解消され、背負ベルト４を作業者にフィットした状態とし易くなる。
【００３８】
また、取付孔１７（１８）が膨出部６１（６２）の湾曲した斜面に設けられているので、湾曲した凸面に取付孔１７（１８）がある状態となり、例えば、図８に示すように、取付フック４１のフック４２の先端を膨出部６１（６２）の湾曲した斜面に沿わして取付孔１７（１８）に案内すると、平面上でフック４２の先端を沿わせた場合よりも、円滑にフック４２が取付孔１７（１８）内に挿入される。
【００３９】
また、上述のように膨出部６１，６２は、内部が開放されたドーム状に成形されるが、膨出部６１，６２がブロー成形の際に型に潰されて内部空間が無い状態に成形される潰し部１６に形成されるので、ブロー成形でも容易に上述のような形状の膨出部６１，６２を成形することができる。
なお、上記例では、背負ベルト４の端部に取付フック４１を設け、この取付フック４１を取付孔１７，１８に挿入して背負ベルト４を取り付けるものとしたが、取付孔１７，１８に取付金具を取り付け、この取付金具に背負ベルト４の端部を取り付けるものとしてもよい。
【００４０】
なお、上述の実施の形態の背負式噴霧機においては、架台に薬剤タンクが一体成形されているが、架台と薬剤タンクとが別体として成形され、成形後に架台に薬剤タンクを固定する構成としてもよい。
また、上述の実施の形態においては、背負式作業機として背負式噴霧機について説明したが、背負式作業機としてはこれに限らず、背負式散布機、背負式ブロア、背負式刈払機など、原動機で駆動される作業機で、原動機が架台に固定されて作業者に背負われた状態で作業が行える背負式作業機に本発明を適用可能である。
【符号の説明】
【００４１】
１      架台
３      作業機本体部
４      背負ベルト
８      スロットルレバー（操作手段）
１２    台座部
１６    潰し部（潰し部分）
１７    取付孔
１８    取付孔
３１    原動機
６１    膨出部
６２    膨出部
【図１】
2011142862.tif 000003
【図２】
2011142862.tif 000004
【図３】
2011142862.tif 000005
【図４】
2011142862.tif 000006
【図５】
2011142862.tif 000007
【図６】
2011142862.tif 000008
【図７】
2011142862.tif 000009
【図８】
2011142862.tif 000010
【図９】
2011142862.tif 000011
【図１０】
2011142862.tif 000012